(57)【要約】【課題】操作のために必要な操作者に対する支援情報を簡単で効率的な操作で提供し、操作の効率、操作の快適性を向上させることができるデータ処理方法とデータ処理装置を提供する。【解決手段】所定のキーの入力によって操作情報支援ソフトウェアを起動させて、表示装置の画面に個々の簡単で判りやすい操作支援情報を集約した検索のための第１の分類項目を表示させ、各分類項目に付与された数字またはアルファベットを参照して、選択した分類項目の数字またはアルファベットに対応するキーを入力することによって選択した分類項目の内容を第１の分類項目に変えて表示装置の画面に表示させ、選択した分類項目の内容が検索のための第２の分類項目であった場合は、最終的な操作支援情報が画面に表示されるまで、選択のためのキー入力を繰り返す。【選択図】　　　図２
2004021794.tif 000002
【特許請求の範囲】
【請求項１】
ツリー構造で検索と情報とのリンクパスを張った操作支援情報のデータ群を有しパソコン本体に格納されている操作情報支援ソフトウェアを用いて、必要とする操作支援情報をキーボードからのキー入力のみで表示装置に表示させるためのデータ処理方法であって、
所定のキーの入力によって操作情報支援ソフトウェアを起動させて、前記表示装置の画面に個々の操作支援情報を集約した検索のための第１の分類項目を表示させ、
各分類項目に付与されたシンボルを参照して、選択した分類項目のシンボルに対応するキーを入力することによって選択した分類項目の内容を前記第１の分類項目に変えて前記表示装置の画面に表示させ、
選択した分類項目の内容が検索のための第２の分類項目であった場合は、最終的な操作支援情報が画面に表示されるまで、選択のためのキー入力を繰り返すことを特徴とするデータ処理方法。
【請求項２】
前記操作支援情報は、キーの連続的な入力によって操作されるアプリケーションプログラムのキー入力操作を、簡易に判りやすく説明する情報である、請求項１に記載のデータ処理方法。
【請求項３】
前記アプリケーションプログラムが日本語入力プログラムである、請求項２に記載のデータ処理方法。
【請求項４】
前記シンボルが、キーで直接入力可能な数字およびアルファベットの少なくともいずれかである、請求項１に記載のデータ処理方法。
【請求項５】
前記シンボルが数字である、請求項４に記載のデータ処理方法。
【請求項６】
少なくともパソコン本体、表示装置、キーボードを備え、該キーボードからのキー入力のみで必要とする操作支援情報を表示装置に表示させることのできるデータ処理装置であって、
前記パソコン本体は、プログラムによるデータ処理を行うため、入力部、出力部、演算制御部、記憶部を備えており、該記憶部には前記パソコン本体の標準的なＯＳ、アプリケーションプログラム、および操作情報支援ソフトウェアが格納されており、
該操作情報支援ソフトウェアは、キー入力格納番地、索表プログラム、データセットを備えており、
前記キー入力格納番地には、前記キーボードから入力されて前記データセットの操作情報格納表の索表を指定するキー入力情報が格納され、
前記索表プログラムは、前記キー入力情報に基づいて、前記データセットの操作情報格納表を検索して指定された操作支援情報を前記表示装置の画面に表示し、
前記データセットには、操作支援情報における第１の検索用の分類であるスタート情報を根として、一連の検索用の情報と葉となる操作支援情報とがツリー構造となって操作支援情報格納表として格納されていることを特徴とするデータ処理装置。
【発明の詳細な説明】
【０００１】
【発明の属する技術分野】
本発明はデータ処理方法とデータ処理装置に関し、特に、キーボードの操作のみで操作支援情報が画面表示可能なデータ処理方法とデータ処理装置に関する。
【０００２】
【従来の技術】
近年、半導体の高集積化や小型化が進み記憶容量が飛躍的に増大するに伴ってパソコンなどのデータ処理装置の応用ソフトウェアが複雑になり、内容も高度化されてきた。それに従って、操作マニュアルの量も膨大となり、電子化されて応用ソフトウェアに組み込まれ、操作者への表示はＯＳ（基本ソフト）で支援されて行われるようになっている。例えばマイクロソフト社のＭＳ−Ｗｉｎｄｏｗｓの場合には、この機能はヘルプ機能と呼ばれ、パソコンのＦ１キーを打鍵することによって動作し、ヘルプメッセージが画面に表示される。
【０００３】
通常、ヘルプメッセージは、操作説明書と同等の内容が画面表示され、目次の章の項目をマウスでダブルクリックすることにより、節の目次が表示されるといったように、多段階のマウス操作により、説明書の内容が表示される。
【０００４】
【発明が解決しようとする課題】
しかしながら、例えば日本語入力ソフト、インターネット接続ソフトや表計算ソフトなどの操作説明書は膨大な内容を備えているが、参照される頻度の多いものはごく一部であり、その中から必要な内容を探すのも容易ではない。探し出しても専門的な用語で記載されていることが多く内容を理解することも容易ではない。
【０００５】
また、操作方法を確かめるためにヘルプ機能を参照する必要が生ずるのはパソコンの操作の途中であることが多く、パソコンの通常の操作をしながら、呼び出したヘルプ機能から必要な操作方法を確かめるためにはマウスでのダブルクリックを複数回続ける必要があり、操作効率の点で、あるいは操作の快適さの点で、操作者にとって具合のよいものではないという問題点がある。操作者は、いま問題になっている操作法をできるだけ簡単な方法で探しだして、操作法を確かめ、もとの操作に戻りたい。特に、キーボード入力を主として行っているときは、マウス操作のために、手を持ち替えてキー入力が中断されることはできるだけ避けたい。
【０００６】
本発明の目的は、操作のために必要な操作者に対する支援情報を簡単で効率的な操作で提供し、操作の効率、操作の快適性を向上させることができるデータ処理方法とデータ処理装置を提供することである。特に、キーボードを主として使用して操作しているときに、マウスを使わなくてもキー入力のみで支援情報を見ることができ、キーボード入力が中断されないデータ処理方法とデータ処理装置を提供することである。
【０００７】
【課題を解決するための手段】
本発明のデータ処理方法は、
ツリー構造で検索と情報とのリンクパスを張った操作支援情報のデータ群を有しパソコン本体に格納されている操作情報支援ソフトウェアを用いて、必要とする操作支援情報をキーボードからのキー入力のみで表示装置に表示させるためのデータ処理方法であって、所定のキーの入力によって操作情報支援ソフトウェアを起動させて、表示装置の画面に個々の操作支援情報を集約した検索のための第１の分類項目を表示させ、各分類項目に付与されたシンボルを参照して、選択した分類項目のシンボルに対応するキーを入力することによって選択した分類項目の内容を第１の分類項目に変えて表示装置の画面に表示させ、選択した分類項目の内容が検索のための第２の分類項目であった場合は、最終的な操作支援情報が画面に表示されるまで、選択のためのキー入力を繰り返すことを特徴とする。
【０００８】
操作支援情報は、キーの連続的な入力によって操作されるアプリケーションプログラムのキー入力操作を、簡易に判りやすく説明する情報であることが好ましく、アプリケーションプログラムが日本語入力プログラムであってもよい。
【０００９】
シンボルが、キーで直接入力可能な数字およびアルファベットの少なくともいずれかであってもよく、シンボルが数字であってもよい。
【００１０】
本発明のデータ処理装置は、
少なくともパソコン本体、表示装置、キーボードを備え、そのキーボードからのキー入力のみで必要とする操作支援情報を表示装置に表示させることのできるデータ処理装置であって、パソコン本体は、プログラムによるデータ処理を行うため、入力部、出力部、演算制御部、記憶部を備えており、その記憶部にはパソコン本体の標準的なＯＳ、アプリケーションプログラム、および操作情報支援ソフトウェアが格納されており、その操作情報支援ソフトウェアは、キー入力格納番地、索表プログラム、データセットを備えており、キー入力格納番地には、キーボードから入力されてデータセットの操作情報格納表の索表を指定するキー入力情報が格納され、索表プログラムは、キー入力情報に基づいて、データセットの操作情報格納表を検索して指定された操作支援情報を表示装置の画面に表示し、データセットには、操作支援情報における第１の検索用の分類であるスタート情報を根として、一連の検索用の情報と葉となる操作支援情報とがツリー構造となって操作支援情報格納表として格納されていることを特徴とする。
【００１１】
本発明のデータ処理方法では、キー操作による検索のみで操作支援情報を簡単で効率的な方法で操作者に提示することができ、文章入力のようにキーボード入力を主体として行っている操作で、マウスなどに手を持ち換えることなく、キー入力の継続で操作支援情報を表示させることができる。
【００１２】
【発明の実施の形態】
次に、本発明の実施の形態について図面を参照して説明する。図１は本発明の実施の形態のデータ処理装置の模式的構成図であり、図２は本発明の実施の形態の操作情報支援ソフトウェア（ＯＡＳ）を説明するための模式的説明図である。
【００１３】
図１に示す本発明の実施の形態のデータ処理装置は、ＰＣ（パソコン）本体１１０、表示装置１２０、キーボード１３１、マウス１３２を備えているが、操作情報支援ソフトウェア（ＯＡＳ）の実行のためにはマウス１３２は必要でない。
【００１４】
ＰＣ（パソコン）本体１１０は、プログラムによるデータ処理を行うため、入力部１１１、出力部１１２、演算制御部１１３、記憶部１１４とを備えており、そのパソコンの標準的なＯＳである例えばマイクロソフト社のＭＳ−Ｗｉｎｄｏｗｓ　１１５、いま、実行中のＡＰ（アプリケーションプログラム）１１６ａ、その他のＡＰ（アプリケーションプログラム）１１６ｂ〜１１６ｘ、および本発明に特有の操作情報支援ソフトウェア（ＯＡＳ）１１７が格納されている。
【００１５】
表示装置１２０は標準的なパソコンのディスプレイ装置であり、例えば、１０２４×７６８ピクセルの液晶表示装置である。表示装置１２０には、パソコン本体１１０の状態や記憶内容が必要に応じて表示されて、操作者に知らされる。キーボード１３１は、標準的なパソコンのキーボード装置であり、文字入力のためのアルファベットキー、記号キー、数字キーと、制御機能を入力するための制御キーとを備えている。操作者は、表示装置の表示内容を確かめながら、キーボード１３１からパソコン本体１１０に文字情報と制御情報とを入力することができる。マウス１３２は、画面上での位置情報を表示画面のピクセル程度の精度で正確に入力する入力装置であり、アイコンの選択や位置設定などを行うことができる。
【００１６】
図２に示すように、本発明の操作情報支援ソフトウェア（ＯＡＳ）２００は、キー入力格納番地２０１、索表プログラム２０２、データセット２０３を備えている。
【００１７】
キー入力格納番地２０１には、操作者がキーボード１３１から入力した、データセット２０３の操作情報格納表の索表を指定するキー入力情報が格納される。
【００１８】
索表プログラム２０２は、キー入力情報に基づいて、操作情報格納表を検索したり、操作情報格納表を作表したりする。
【００１９】
データセット２０３は一連の操作情報格納表として記憶部１１４に格納されており、検索のための第１の分類を示す根となるスタート情報２１０から始まって一連の検索情報と葉となる操作支援情報が［０］情報２２０から［９９］情報２１９９までツリー構造で連接しており、操作支援情報は実行中のＡＰ（アプリケーションプログラム）の入力操作の中で高い頻度で必要とされる操作情報を中心に簡易に判りやすく説明されている。
【００２０】
次に、本発明の操作情報支援ソフトウェアを用いたデータ処理方法について説明する。図３は本発明の操作情報支援ソフトウェアを用いたデータ処理方法を示すフローチャートである。
【００２１】
処理を開始し（Ｓ１０１）、操作者が操作情報支援ソフトウェア（ＯＡＳ）２００を起動するための所定のキーをキーボード１３１で打鍵すると（Ｓ１０２）、操作情報支援ソフトウェア（ＯＡＳ）２００が起動され（Ｓ１０３）、打鍵されたキーの情報がキー入力格納番地１０１に格納され、格納されたキーの情報に基づいて索表プログラム２０２が、データセット２０３からスタート情報２１０を検索して表示装置１２０に表示する（Ｓ１０４）。
【００２２】
操作者が表示されたスタート情報２１０に記載されている複数の検索項目の中から所望の項目を選択して、その項目に付帯している番号あるいは記号をキーボード１３１で打鍵すると（Ｓ１０５）、打鍵されたキーの情報がキー入力格納番地１０１に格納され、格納されたキーの情報に基づいて索表プログラム２０２が、スタート情報２１０に連接しており選択された項目の細目が記載された操作支援情報を、データセット２０３における［０］情報２２０から［９］情報２２９の中から検索して表示装置１２０に表示する（Ｓ１０６）。
【００２３】
表示された情報が求める最終的な操作支援情報である場合は（Ｓ１０７Ｙ）、操作者は所望の支援情報を入手し、表示された情報がさらに選択すべき複数の項目であるならば（Ｓ１０７Ｎ）、最終的な操作支援情報が表示されるまで前回と同じ操作を繰り返して（Ｓ１０８）、所望の情報を入手する。
【００２４】
処理が終了でなければ（Ｓ１１０Ｎ）、操作情報支援ソフトウェア（ＯＡＳ）２００を終了させるための所定のキーを入力して、操作情報支援ソフトウェア（ＯＡＳ）２００を終了させ（Ｓ１１１）、Ｓ１０２に戻って操作情報支援ソフトウェアの起動キーの打鍵を待機する。処理終了であれば（Ｓ１１０Ｙ）、処理を終了させる（Ｓ１１２）。
【００２５】
日本語入力ソフトを例とすると、実行中のＡＰ（アプリケーションプログラム）１１６ａである日本語入力ソフトは、パソコン１００に日本語を入力する場合に、ＯＳ　１１５の制御のもとで、一般のＡＰ　１１６ｂ〜１１６ｘの中の関連するＡＰと連携して動作する。日本語入力ソフトの通常の操作説明書に記載された操作支援情報は、日本語入力ソフト全般の使い方に関するものであり、日本語入力をする場合のさまざまの規則に関するものが主なものである。これらの規則は非常に、複雑で多くのものがあり、印刷されたマニュアルによる場合も電子化されたソフトウェアを使用する場合にも所望の内容を把握することは容易ではない。特に、初心者がこれらの規則を覚えて、操作法に習熟するのには時間がかかる。キー入力のみで操作情報が検索できる本発明の操作情報支援ソフトウェア（ＯＡＳ）を用いた、操作支援情報の効果的な活用により、初心者でも日本語ソフトの操作を容易に行うことができる。
【００２６】
使用例によって操作の内容を具体的に説明する。いま、日本語入力ソフト（パソコンではマイクロソフト社のＩＭＥと呼ばれるソフトやジャストシステム社のＡＴＯＫと呼ばれるソフトが典型的である）を操作中に、操作について支援を必要とする状況が発生した場合は、キーボード１３１の機能キーＦ２が打鍵されると、ＰＣ本体１１０のＯＳ（基本ソフト）１１５に検知されて、操作情報支援ソフトウェア（以後ＯＡＳと略称する）１１７に通知される。
【００２７】
次いで、ＯＡＳ１１７がつぎのように動作する。まず、スタート情報２１０が読み出され、表示装置１２０に表示されて、操作者に示される。
【００２８】
スタート情報２１０は次のような内容からなっている。
（スタート情報２１０の表示内容）
・支援情報一覧
（調べたい項目を選択してください）
０　基礎知識（基本的な用語など）
１　カーソルの機能（文字位置指定）
２　仮名入力の方法（文字キー入力）
３　仮名の漢字への変換方法と変換終了後の確定（ＳｐａｃｅとＥｎｔｅ
ｒ）
４　機能キー（Ｆ６〜Ｆ１０）を用いた確定後の変換、無変換キーの連続打鍵による変換
５　文節の中の一部の変換（部分変換）
６　入力または確定した文字や文節の修正方法（Ｂａｃｋ　Ｓｐａｃｅ）
７　数字、英字の入力
８　記号の入力
９　手書きによる漢字の入力（パッド入力）／単語の辞書への登録
【００２９】
支援情報一覧には、日本語入力ソフトの操作法が分類されてその一覧が項目として表示されている。ここでは、全体が０から９の１０項目に分類されている。操作者はいま、仮名漢字変換操作を行っており、この操作に関して操作法を確かめたいとすると、それに対応した３項を選択するために、キーボード１３１の数字３を入力するための数字キーを打鍵する。それによって、数字３がキー入力格納番地２０１に格納される。
【００３０】
次に、索表プログラム２０２により、データセット２０３で索表が行われ、数字３に対応する［３］情報２２３が一致情報として探索される。
【００３１】
次いで、表示装置１２０に表示されていたスタート情報２１０の表示は［３］情報２２３に変えられる。
【００３２】
［３］情報２２３の具体的な内容はつぎの通りである。
（［３］情報２２３の表示内容）
・仮名の漢字への変換方法と変換終了後の確定
（参照項目を選択してください）
０　変換方法の種類
１　［Ｓｐａｃｅ］キーでの変換と確定
２　［変換］キーでの変換と確定
３　　１０個以上の変換候補がある場合
４　　カタカナへの変換
５　　異種の数字への変換
６　　記号への変換
７　　読みのわからない漢字の入力
【００３３】
［３］情報２２３には、仮名漢字変換に関する操作法の解説が０から７の８個に分類されている。
【００３４】
次いで、［３］情報２２３の表示を見て、数字キー２を打鍵したとするとキー入力格納番地２０１の内容は３２（Ｘ１は３、Ｘ２は２）となり、索表プログラム２０２によって、［３２］情報２１３２が探索され、表示装置１２０に表示される。同様にして、０−７の数字キーを打鍵することにより［３０］から［３７］情報を表示することができる。
【００３５】
これらの７個に分類された情報は次の通りであり、項目に対応した数字キーの打鍵によって、それぞれ次のような支援情報が表示装置１２０に表示される。
【００３６】
数字０キーの打鍵
（［３０］情報２１３０の表示内容）
・変換方法の種類
仮入力された平仮名を漢字に変換するには［Ｓｐａｃｅ］キーを用いる方法と［変換］キーを用いる方法の２つの方法があります。それぞれの具体的な方法は［３］情報１２３の２項と３項に記載されているので、キーボードの［Ｅｎｔｅｒ］、［Ｆ２］、［３、１］、または［Ｅｎｔｅｒ］、［Ｆ２］、［３、２］を連続打鍵してください。
【００３７】
数字１キーの打鍵
（［３１］情報２１３１の表示内容）
・［Ｓｐａｃｅ］キーでの変換と確定
平仮名の文字列が仮入力されているとき、［Ｓｐａｃｅ］キーを打鍵すると仮入力された文字列は、漢字交じりの文字列に変換されます。変換された文字列が所望の文字列であるとき、［Ｅｎｔｅｒ］キーの打鍵で確定入力とすることができます。もし、所望の文字列でないとき、再び［Ｓｐａｃｅ］キーを打鍵すると複数の変換候補が画面に表示されるので、その中に所望の文字列があれば、それを次の方法で選択すると仮入力された文字列が所望の文字列に変換されるので、［Ｅｎｔｅｒ］キーの打鍵で確定入力とします。
選択は、［Ｓｐａｃｅ］キーの連続打鍵による選択表示の移動と、その文字列の項の数字に対応した数字キーの打鍵での指定のどちらででもできます。
文字列の仮入力がないときに、［Ｓｐａｃｅ］キーを打鍵すると、カーソル位置の前にスペース（間隔）が入力されます。
【００３８】
数字２キーの打鍵
（［３２］情報２１３２の表示内容）
・変換キーでの変換と確定
［Ｓｐａｃｅ］キーの代わりに、［変換］キーを使用することによっても変換ができます。
平仮名の文字列が仮入力されているとき、［変換］キーを打鍵すると仮入力された文字列は、漢字交じりの文字列に変換されます。変換された文字列が所望の文字列であるとき、［Ｅｎｔｅｒ］キーの打鍵で確定入力とすることができます。もし、所望の文字列でないとき、再び［変換］キーを打鍵すると複数の変換候補が画面に表示されるので、その中に所望の文字列があれば、それを次の方法で選択すると仮入力された文字列が所望の文字列に変換されるので、［Ｅｎｔｅｒ］キーの打鍵で確定入力とします。
選択は、［変換］キーの連続打鍵による選択表示の移動と、その文字列の項の数字の数字キーの打鍵での指定のどちらででもできます。
【００３９】
数字３キーの打鍵
（［３３］情報２１３３の表示内容）
・１０個以上の変換候補がある場合
変換先の候補が１０以上に及ぶときは、９個ずつ一つの画面として画面表示されます。変換候補がいくつあるかは候補表示の下部に数字で表示されます。次の候補表示画面あるいは前の候補表示画面を表示させたい場合は、［Ｐａｇｅ　Ｄｏｗｎ］、あるいは［Ｐａｇｅ　Ｕｐ］のキー入力で表示させます。
また候補表示の右部分のスクロールバーで、表示候補上の選択表示を変えることもできます。
【００４０】
数字４キーの打鍵
（［３４］情報２１３４の表示内容）
・片仮名への変換
片仮名表示が望ましい文字列を平仮名で入力して仮入力文字列を変換すると、外来語などの片仮名の文字列が変換候補として表示され、多くは片仮名の外来語にスムースに変換されます。ただし、この場合の片仮名はかならず全角となります。
また、片仮名に変換したい部分の仮入力をカーソルで選択して、機能キー［Ｆ７］を打鍵すると、選択部分が片仮名に変換されます。
【００４１】
数字５キーの打鍵
（［３５］情報２１３５の表示内容）
・異種の数字への変換
算用数字を仮入力して仮入力文字列を変換すると、変換候補として、和数字、漢数字、ローマ数字や丸付数字が表示されるので、選択して変換することにより、入力することができます。また、数字の読み（例えば［さん］）を入力して仮入力文字列変換することにより、いろいろな数字、例えば［三、参、３　、▲３▼、ｉｉｉ、ＩＩＩ］の表記に変換することもできます。
【００４２】
数字６キーの打鍵
（［３６］情報２１３６の表示内容）
・記号への変換
記号の平仮名の読みを入力して、仮入力文字列を変換することにより、いろいろな記号を変換候補として表示することができます。
（例）
とう→々　あるいは　〃　　さんかく→△　など
しかく→□　　　　　　　　まる→○　あるいは　◎
くろまる→●　　　　　　　ほし→☆　あるいは　※
やじるし→矢印、→、←、↓、↑、⇔、⇒
ゆうびん→〒　　　　　でんわ→ＴＥＬ　　　　　　なんばー→Ｎｏ．
せっし→℃　　　　　　ふとうごう→≦　など　へいべい→ｍ２
めす→♀　　　　　　　ふらっと→♭　　　　　しめ→〆
ぷらすまいなす→±　　せんと→¢　　　　　　びょう→″
せきぶん→∫　　　　　しぐま→Σ　　　　　　どる→＄
かっこ→（）　をはじめ多くの括弧
きごう→記号では、ＭＳ−ＩＭＥの場合、多くの記号が表示され選択できます。
【００４３】
数字７キーの打鍵
（［３７］情報２１３７の表示内容）
・読みのわからない漢字
たとえば「毀誉」の読みがわからないとき、「きそん」→「毀損」、「めいよ」→「名誉」と入力し、「毀損名誉」を確定後余分な文字である「損、名」を削除します。
このほかにＩＭＥパッドからマウスで入力する方法がありますので、キーボードから［Ｅｎｔｅｒ］、［Ｆ２］、［９、７］を入力して［９７］情報から参照してください。
【００４４】
キーボード１３１の［Ｅｎｔｅｒ］キーを打鍵することによりＯＡＳを終了することができ、表示装置１２０の操作支援情報に関する表示は消去され、もとのＡＰソフトの動作に戻る。この場合は、日本語入力ソフトの入力操作に戻る。
【００４５】
以上において、［３］情報からの一連の操作について説明したが、他の［０］から［９］情報からの操作についても同様である。以上の例において、［００］から［９９］情報は最大１００個の情報の場所がとられているが、上記の例でみたように、情報が欠番になっている場合は、空白のみが表示される。
【００４６】
以上において、索表のためのキー入力は、画面表示に従って、１桁ずつ入力していくこととして説明したが、あらかじめ［Ｘ１　Ｘ２　］の番号がわかっておれば（例えば操作者が暗記をするか、あるいはメモをみて）画面表示を確かめることなく、［Ｆ１］に続いて［Ｘ１　Ｘ２　］の数字を連続キー入力することによって、最終の画面表示を直ちに表示させることもできる。
【００４７】
なお、上記の日本語ソフトの例では、キー入力格納番地２０１のＸ１　とＸ２　とがそれぞれ１桁ですべてで２桁の場合であったが、さらに分類の段階を多くする場合などは任意の桁であってよい。ただし、それに対応した表をあらかじめ用意しておく必要がある。
【００４８】
さらに本実施の形態では、Ｘ１　、Ｘ２　として、数字キーの入力で説明したが、１段階での分類数が１０以上になるような場合などにおいてはキー入力としてはアルファベットあるいは数字を含むアルファベットであってもよい。ただし、それに対応した表をあらかじめ用意しておく必要がある。
【００４９】
以上で、日本語入力ソフトの操作支援情報の画面表示について説明したが、インターネット接続ソフトや表計算ソフトなど一般のＡＰについての操作支援情報の画面表示についても同様に行われる。ただし、それぞれのＡＰに適合した、スタート情報、［０］−［９］情報、［００］−［９９］情報に相当する表をあらかじめ作成しておく必要がある。また、一般のＡＰ（アプリケーションプログラム）の場合は、ＯＡＳの動作の開始は、日本語入力ソフトの場合の機能キーＦ２とは異なる例えば機能キーＦ３で行われる。あるいは、機能キーＦ２の打鍵で立ち上がったＯＡＳのスタート情報２１０に、対象とする一般のＡＰを含んだソフトの検索一覧が示されるようにしてもよく、例えば日本語入力ソフトの操作支援情報を得たい場合はキーで日本語入力ソフトを選択すると、上述の日本語入力ソフト用のスタート情報が次の［０］情報２２０に表示され、以下順に繰り下がる。
【００５０】
つぎに、本発明の実施の形態での操作法と従来のヘルプ（パソコンでは、通常、Ｆ１機能キーからの操作で行われる）操作で行われる操作支援情報の利用法との使い分けについて、述べておく。従来方法は標準的な操作方法として定着しているので、従来通り、操作マニュアルが電子的に網羅的に格納されているものとして、操作マニュアルを丹念に読む目的に使用し、本発明の実施形態の操作法は、簡単で効率的な操作の面と理解しやすい内容とを重視して、当面した操作上の問題点を解決するための情報を、現在の操作を大きく中断させることなく容易に入手する目的に使用するなどの使い分けをして、従来方法と本発明の実施形態との共存により、相乗効果を発揮させることができる。
【００５１】
【発明の効果】
以上説明したように本発明では、次のような効果が得られる。
【００５２】
本発明の第１の効果は、データ処理装置あるいはシステムの操作に必要とされる操作支援情報を簡単で効率的な方法でかつ判りやすく操作者に提示することができることである。
【００５３】
本発明の第２の効果は、文章入力のようにキーボード入力を主体として行っている操作で、マウスなどに手を持ち換えることなく、キー入力の継続で操作支援情報を表示させることができ、操作の快適性と効率の向上を実現できることである。
【００５４】
本発明の第３の効果は、複数桁の数字などの簡単なキー入力を入力することにより、目的とする操作支援情報を直接得ることができ、効率的な操作をすることができることである。
【００５５】
本発明の第４の効果は、日本語入力のような複雑な入力規則と操作法とをあらかじめ暗記して覚えなくても、キー入力な簡単な操作で操作支援情報を活用することにより、効果的に日本語の文章を入力することができることである。
【００５６】
本発明の第５の効果は、従来の操作支援方法と共存して、使い分けによって相乗効果を発揮させることができることである。
【図面の簡単な説明】
【図１】本発明の実施の形態のデータ処理装置の模式的構成図である。
【図２】本発明の実施の形態の操作情報支援ソフトウェア（ＯＡＳ）を説明するための模式的説明図である。
【図３】本発明の操作情報支援ソフトウェアを用いたデータ処理方法を示すフローチャートである。
【符号の説明】
１００　　パソコン
１１０　　ＰＣ本体
１１１　　入力部
１１２　　出力部
１１３　　演算制御部
１１４　　記憶部
１１５　　ＯＳ
１１６ａ、１１６ｂ、１１６ｘ　　ＡＰ
１１７、２００　　操作情報支援ソフトウェア
１２０　　表示装置
１３１　　キーボード
１３２　　マウス
２０１　　キー入力格納番地
２０２　　索表プログラム
２０３　　データセット
２１０　　スタート情報
２２０、２２３、２２９、２１００、２１０９、２１３２、２１９０、２１９９　　操作支援情報
Ｓ１０１〜Ｓ１１２　　ステップ
【図１】
2004021794.tif 000003
【図２】
2004021794.tif 000004
【図３】
2004021794.tif 000005